【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
カテーテルであって、
近位部と、
遠位部と、
前記近位部の遠位端および前記遠位部の近位端に結合される脱離機構であって、前記脱離機構は、前記遠位部を前記近位部との係合から解放させるために、ユーザによって選択的に起動され、前記脱離機構は、前記近位部から延在する複数の加熱要素をさらに備え、前記複数の加熱要素は、前記遠位部上の第１のリングの近位に面した溝内に位置付けられる、脱離機構と
を備える、カテーテル。
【請求項２】
前記脱離機構は、前記第１のリングおよび前記複数の加熱要素に固定される接着剤を備える、請求項１に記載のカテーテル。
【請求項３】
前記複数の加熱要素は、矩形形状であり、前記第１のリングの溝内に位置付けられる、請求項２に記載のカテーテル。
【請求項４】
第２のリングおよび第３のリングをさらに備え、前記第２のリングは、前記複数の加熱要素のそれぞれの第１の端部と電気的に接触し、前記第３のリングは、前記複数の加熱要素のそれぞれの第２の端部と電気的に接触する、請求項２に記載のカテーテル。
【請求項５】
前記脱離機構は、前記接着剤を溶解して前記遠位部を前記近位部との係合から解放させるために、ユーザによって選択的に起動される、請求項２に記載のカテーテル。
【請求項６】
前記複数の加熱要素は、２つの加熱要素を含む、請求項２に記載のカテーテル。
【請求項７】
遠位導電性リングと近位導電性リングとをさらに備え、前記遠位導電性リングおよび前記近位導電性リングの両方は、電流を選択的に供給され、前記複数の加熱要素のそれぞれは、前記遠位導電性リングに、および、前記近位導電性リングに電気的に接続される、請求項２に記載のカテーテル。
【請求項８】
前記複数の加熱要素のうちの１つは、第１の電気ワイヤに、および、第２の電気ワイヤに接続され、その結果、前記複数の加熱要素のうちの前記１つは、前記遠位導電性リングに、および、前記近位導電性リングに電流を供給する、請求項２に記載のカテーテル。
【手続補正２】
【補正対象書類名】明細書
【補正対象項目名】００１６
【補正方法】変更
【補正の内容】
【００１６】
別の実施形態では、カテーテルを使用する方法が、想定される。例えば、カテーテルは、治療部位に前進されることができ、塞栓材料が、カテーテルの遠位先端から展開されることができる。カテーテルが塞栓材料内で膠着状態になる場合、医師は、塞栓材料を部分的に溶解するために、カテーテルの遠位端におけるヒータを起動させるか、またはカテーテルの遠位端を脱離させるために、脱離機構を起動させるかのいずれかを行うことができる。最後に、カテーテルは、患者から除去されることができる。
本発明は、例えば、以下を提供する。
（項目１）
カテーテルであって、
近位部と、
遠位部と、
前記近位部の遠位端および前記遠位部の近位端に結合される、脱離機構であって、前記遠位部を前記近位部との係合から解放させるために、ユーザによって選択的に起動される、脱離機構と、を備える、カテーテル。
（項目２）
前記脱離機構はさらに、
液体に暴露されると分解する、接合材料と、
前記接合材料を流体に選択的に暴露させる、膜と、を備える、項目１に記載のカテーテル。
（項目３）
前記接合材料を流体に選択的に暴露させる前記膜は、電流が印加されると、カシーウェンゼル湿潤遷移を介して、流体に透過性となる、項目２に記載のカテーテル。
（項目４）
前記膜は、これに電流が印加されると収縮性となる、ヒドロゲルである、項目２に記載のカテーテル。
（項目５）
前記膜は、これに電流が印加されると、溶解する、項目３に記載のカテーテル。
（項目６）
前記接合材料は、ＮａＣｌである、項目２に記載のカテーテル。
（項目７）
前記膜は、前記カテーテルの外面上に位置する、項目２に記載のカテーテル。
（項目８）
前記膜は、前記カテーテルの管腔の表面上に位置する、項目２に記載のカテーテル。
（項目９）
前記脱離機構は、
複数の加熱要素と、
第１のリングと、
前記リングおよび前記複数の加熱要素に固定される、接着剤と、を備える、項目１に記載のカテーテル。
（項目１０）
前記複数の加熱要素は、前記第１のリングの溝内に位置付けられる、項目９に記載のカテーテル。
（項目１１）
第２のリングおよび第３のリングをさらに備え、前記第２のリングは、前記加熱要素のそれぞれの第１の端部と電気的に接触し、前記第３のリングは、前記加熱要素のそれぞれの第２の端部と電気的に接触する、項目１０に記載のカテーテル。
（項目１２）
前記脱離機構は、
前記カテーテルの周囲に円周方向に位置し、前記近位部に接続される第１の端部と、前記遠位部に接続される第２の端部とを有する、複数のテザーと、
ヒータコイルの起動が前記複数のテザーを破壊するように、前記複数のテザー部材の近傍に位置する、前記ヒータコイルと、を備える、項目１に記載のカテーテル。
（項目１３）
前記ヒータコイルは、複数の湾曲部によって接続される、複数のコイル状部を含む、項目１２に記載のカテーテル。
（項目１４）
前記コイル状部は、それぞれ、前記複数の湾曲部のうちの１つの周囲に配置される、項目１３に記載のカテーテル。
（項目１５）
前記脱離機構はさらに、
第１のリングと、
前記第１のリングと接触する、第２のリングと、
前記第２のリングと接触する、第３のリングと、
を備え、前記第２のリングは、電流が前記第１のリングおよび前記第２のリングに印加されると、急速なガルバニック腐食を介して、犠牲アノードとして作用するように構成される、項目１に記載のカテーテル。
（項目１６）
前記脱離機構はさらに、
複数のピストン部材と、
ヒータコイルと、
を備え、前記ヒータコイルの起動は、前記ピストン部材を作動させる、項目１に記載のカテーテル。
（項目１７）
前記ピストン部材はそれぞれ、拡張可能材料とピンとを含むピストン筐体を含む、項目１６に記載のカテーテル。
（項目１８）
前記脱離機構はさらに、
体温における第１の形状と、体温を上回って加熱されるときの第２の形状とを有する、第１のリングと、
複数のテザー部材と、
を備え、前記第１の形状から前記第２の形状への遷移は、前記テザーを破壊する、項目１に記載のカテーテル。
（項目１９）
前記第１のリングは、第１の側上の第１の金属と、第２の側上の第２の金属を含む、項目１８に記載のカテーテル。
（項目２０）
前記第１のリングは、そのオーステナイト相に遷移すると、形状を変化させるニチロールを含む、項目１９に記載のカテーテル。
（項目２１）
前記脱離機構はさらに、
円形ばね部材と、
ラッチ機構と、
を備え、前記円形ばね部材は、ラッチ機構を、体温において第１の係止位置に、および体温を上回る温度において第２の係止解除位置に維持する、項目１に記載のカテーテル。
（項目２２）
前記円形ばね部材は、複数の係止ピンと係止および係合解除される、複数の開口を有するリングを回転させる、項目２１に記載のカテーテル。
（項目２３）
前記円形ばね部材は、第１の側上の第１の金属と、第２の側上の第２の金属とを含む、項目２２に記載のカテーテル。
（項目２４）
前記円形ばね部材は、ニチロールを含む、項目２２に記載のカテーテル。
（項目２５）
前記脱離機構は、前記近位部および前記遠位部に固定される、ヒューズ部材を備え、前記ヒューズ部材は、電流供給と選択的に電気通信する、項目１に記載のカテーテル。